(57)【要約】      （修正有）【課題】省エネルギで乗員の快適性を確保可能な温感付与システムを提供する。【解決手段】乗員の身体の複数部位に対して互いに独立して温感を与える温感付与デバイスと、複数部位のそれぞれについて、温感が不足している温感不足部位、および温感が充足している温感充足部位のいずれであるか判定し、温感不足部位があった場合、温感充足部位よりも温感不足部位に優先的に温感を与えるように温感付与デバイスの作動を制御する制御装置とを備える。記制御装置は、乗員の身体の複数部位のそれぞれについて放熱量Ｑｊを算出し、複数部位の放熱量Ｑｊから最小放熱量Ｑｍｉｎを抽出し、乗員の身体の複数部位のそれぞれについて、放熱量Ｑｊと最小放熱量Ｑｍｉｎとの差分Ｑｊ−Ｑｍｉｎを算出し、差分Ｑｊ−Ｑｍｉｎに基づいて温感不足部位および温感充足部位のいずれであるか判定する。【選択図】図３
2018062297.tif 000002
【特許請求の範囲】
【請求項１】
乗員の身体の複数部位に対して互いに独立して温感を与える温感付与デバイス（１１、１２、１３、１４、１５）と、
前記複数部位のそれぞれについて、温感が不足している温感不足部位、および温感が充足している温感充足部位のいずれであるか判定し、前記温感不足部位があった場合、前記温感充足部位よりも前記温感不足部位に優先的に温感を与えるように前記温感付与デバイス（１１、１２、１３、１４、１５）の作動を制御する制御部（２０）とを備える温感付与システム。
【請求項２】
前記制御部（２０）は、前記複数部位のそれぞれについて放熱量（Ｑｊ）を算出し、前記複数部位の放熱量（Ｑｊ）から最小放熱量（Ｑｍｉｎ）を抽出し、前記複数部位のそれぞれについて、前記放熱量（Ｑｊ）と前記最小放熱量（Ｑｍｉｎ）との差分（Ｑｊ−Ｑｍｉｎ）を算出し、前記差分（Ｑｊ−Ｑｍｉｎ）に基づいて前記温感不足部位および前記温感充足部位のいずれであるか判定する請求項１に記載の温感付与システム。
【請求項３】
前記制御部（２０）は、前記差分（Ｑｊ−Ｑｍｉｎ）が閾値（Ｘｊ）を上回っている場合、前記温感不足部位であると判定する請求項２に記載の温感付与システム。
【請求項４】
前記制御部（２０）は、前記温感充足部位よりも前記温感不足部位に優先的に温感を与えるように前記温感付与デバイス（１１、１２、１３、１４、１５）の作動を制御している場合において、前記温感不足部位の放熱量（Ｑｊ）が適正域に入ると、前記温感不足部位に与える温感が減少するように前記温感付与デバイス（１１、１２、１３、１４、１５）の作動を制御する請求項１ないし３のいずれか１つに記載の温感付与システム。
【請求項５】
前記制御部（２０）は、前記温感不足部位のうち温感が最も不足している部位に最も優先的に温感を与えるように前記温感付与デバイス（１１、１２、１３、１４、１５）の作動を制御する請求項１ないし４のいずれか１つに記載の温感付与システム。
【発明の詳細な説明】
【技術分野】
【０００１】
本発明は、車両の乗員に温感を付与する温感付与システムに関する。
【背景技術】
【０００２】
従来、特許文献１には、着座した乗員を加温することのできる乗り物用シートが記載されている。この従来技術では、シートの着座面を加熱するシートヒータを備えている。シートの着座面は複数のエリアに区分けされていて、シートヒータが各エリアを別々の温度に加熱するようになっている。
【０００３】
これにより、乗員の身体のうち熱を感じやすい部分を強く加温し、乗員の身体のうち熱を感じにくい部分を弱く加温することができるので、少ない加熱エネルギでエネルギ乗員の快適性を高めることができる。
【先行技術文献】
【特許文献】
【０００４】
【特許文献１】特開２０１６−１２０８５１号公報
【発明の概要】
【発明が解決しようとする課題】
【０００５】
近年、車両の省エネルギ化に対する関心が一層高まっており、温感付与システムに対しても、より一層少ないエネルギで乗員の快適性を確保することが要求されている。
【０００６】
本発明は上記点に鑑みて、省エネルギで乗員の快適性を確保可能な温感付与システムを提供することを目的とする。
【課題を解決するための手段】
【０００７】
上記目的を達成するため、請求項１に記載の温感付与システムでは、
乗員の身体の複数部位に対して互いに独立して温感を与える温感付与デバイス（１１、１２、１３、１４、１５）と、
複数部位のそれぞれについて、温感が不足している温感不足部位、および温感が充足している温感充足部位のいずれであるか判定し、温感不足部位があった場合、温感充足部位よりも温感不足部位に優先的に温感を与えるように温感付与デバイス（１１、１２、１３、１４、１５）の作動を制御する制御部（２０）とを備える。
【０００８】
これによると、温感不足部位に与える温感を多くし、温感充足部位に与える温感を少なくできるので、乗員の身体の各部位に温感を適切に与えることができるので、省エネルギで乗員の快適性を確保することができる。
【０００９】
なお、この欄および特許請求の範囲で記載した各手段の括弧内の符号は、後述する実施形態に記載の具体的手段との対応関係を示すものである。
【図面の簡単な説明】
【００１０】
【図１】一実施形態における温感付与システムが搭載された車両の部分断面図である。
【図２】一実施形態における温感付与システムの電気制御部を示すブロック図である。
【図３】一実施形態における温感付与システムの制御処理を示すフローチャートである。
【図４】一実施形態における温感付与システムの制御処理の要部を示すフローチャートである。
【図５】一実施形態における温感付与システムの制御処理の別の要部を示すフローチャートである。
【発明を実施するための形態】
【００１１】
以下、一実施形態について図に基づいて説明する。図１に示す温感付与システムは、車両１の乗員に対して温感を付与する。温感とは、温かい感覚のみならず冷たい感覚をも含む意味のものである。温感付与システムは、室内空調ユニット１０、シートヒータ１１、脹脛ヒータ１２、フットウォーマ１３、下腿部ヒータ１４およびステアリングヒータ１５を有している。
【００１２】
室内空調ユニット１０は、空気を温度調整して車室内に吹き出すことによって、車室内の温度を調整する空調装置である。
【００１３】
シートヒータ１１、脹脛ヒータ１２、フットウォーマ１３、下腿部ヒータ１４およびステアリングヒータ１５は、乗員の身体の複数部位に対して互いに独立して温感を与える温感付与デバイスである。
【００１４】
シートヒータ１１、脹脛ヒータ１２、フットウォーマ１３、下腿部ヒータ１４およびステアリングヒータ１５は、乗員を加温して乗員に温かい感覚を与える。
【００１５】
室内空調ユニット１０は、車室内前部の計器盤２の内側に配置されている。室内空調ユニット１０はケーシングを有している。ケーシングは、室内空調ユニット１０の外殻を形成している。ケーシング内には、空気が流れる空気通路が形成されている。
【００１６】
ケーシングの空気流れ最上流部には、図示しない内気導入口および図示しない外気導入口が形成されている。内気導入口は、ケーシング内の空気通路に内気を導入させる。外気導入口は、ケーシング内の空気通路に外気を導入させる。
【００１７】
ケーシング内の空気通路には、送風機、蒸発器、ヒータコア、エアミックスドア等が配置されている。送風機は、車室内へ向けて空気を送風する。蒸発器は、送風機によって送風された空気を冷凍サイクルの低温冷媒と熱交換させて冷却する。ヒータコアは、蒸発器を通過した空気をエンジン冷却水と熱交換させて加熱する。エアミックスドアは、ヒータコアへ流入させる空気と、ヒータコアをバイパスさせる空気との風量割合を調整することによって、車室内へ吹き出される空気の温度を調整する。
【００１８】
ケーシングの空気流れ最下流部には、デフロスタダクト１６、フェイスダクト１７およびフットダクト１８が接続されている。
【００１９】
デフロスタダクト１６は、車両の前面窓３に向けて空調風を吹き出す。フェイスダクト１７は、車室内の乗員の上半身に向けて空調風を吹き出す。フットダクト１８は、車室内の乗員の足元に向けて空調風を吹き出す。
【００２０】
ケーシングの空気流れ最下流部には、図示しない吹出口モードドアが配置されている。吹出口モードドアは、デフロスタダクト１６、フェイスダクト１７およびフットダクト１８の開口面積を調整することによって吹出口モードを切り替える。
【００２１】
吹出口モードとしては、フェイスモード、バイレベルモード、フットモード、フットデフロスタモードおよびデフロスタモードがある。
【００２２】
フェイスモードでは、フェイスダクト１７を全開してフェイスダクト１７から車室内乗員の上半身に向けて空気を吹き出す。バイレベルモードでは、フェイスダクト１７とフットダクト１８の両方を開口して車室内乗員の上半身と足元とに向けて空気を吹き出す。フットモードでは、フットダクト１８を全開するとともにデフロスタダクト１６を小開度だけ開口して、フットダクト１８から主に空気を吹き出す。フットデフロスタモードでは、フットダクト１８およびデフロスタダクト１６を同程度開口して、フットダクト１８およびデフロスタダクト１６の双方から空気を吹き出す。デフロスタモードでは、デフロスタダクト１６を全開してデフロスタダクト１６から車両の前面窓３に向けて空気を吹き出す。
【００２３】
シートヒータ１１は、乗員が着座するシートの背もたれ部４および座面部５に配置されており、電力が供給されることによって発熱して乗員の背中および臀部を加温する。
【００２４】
脹脛ヒータ１２は、座面部５の前面下部に配置されており、電力が供給されることによって熱源光を照射して乗員の脹脛を輻射熱によって加温する。
【００２５】
フットウォーマ１３は、車両１の床面のうち乗員の足裏が接地する部位に配置されており、電力が供給されることによって発熱して乗員の足裏を加温する。
【００２６】
下腿部ヒータ１４は、計器盤２の下部に配置されており、電力が供給されることによって熱源光を照射して乗員の下腿部を輻射熱によって加温する。
【００２７】
ステアリングヒータ１５は、車両１のステアリングの表面に配置されており、電力が供給されることによって発熱して乗員の手のひらや手の指を加温する。
【００２８】
室内空調ユニット１０、シートヒータ１１、脹脛ヒータ１２、フットウォーマ１３、下腿部ヒータ１４およびステアリングヒータ１５の作動は、図２に示す制御装置２０によって制御される。
【００２９】
制御装置２０は、マイクロコンピュータとその周辺回路とから構成されている。制御装置２０は、予め記憶された制御プログラムに基づいて各種演算、処理を行い、出力側に接続された各種機器の作動を制御する制御部である。
【００３０】
制御装置２０の出力側には、室内空調ユニット１０の各種空調制御機器、シートヒータ１１、脹脛ヒータ１２、フットウォーマ１３、下腿部ヒータ１４およびステアリングヒータ１５等が接続されている。
【００３１】
制御装置２０の入力側には、体表温度センサ２１、日射センサ２２、内装材温度センサ２３、シート熱流束センサ２４、ステアリング熱流束センサ２５等の種々のセンサ群が接続されている。
【００３２】
体表温度センサ２１は、乗員の体表温度を検出する体表温度検出部である。例えば、体表温度センサ２１は、赤外線温度センサである。日射センサ２２は、車室内の日射量を検出する日射量検出部である。内装材温度センサ２３は、車室内に配置された内装材の温度を検出する内装材温度検出部である。
【００３３】
シート熱流束センサ２４は、シート背もたれ部４と乗員の背中との間の熱流束値、およびシート座面部５と乗員の臀部との間の熱流束値を検出する熱流束検出部である。ステアリング熱流束センサ２５は、ステアリングと乗員の手のひらや手の指との間の熱流束値を検出する熱流束検出部である。
【００３４】
制御装置２０の入力側には、操作パネル２８に設けられた温調操作スイッチからの操作信号が入力される。操作パネル２８は、計器盤２付近に配置されている。操作パネル２８の温調操作スイッチは、室内空調ユニット１０、シートヒータ１１、脹脛ヒータ１２、フットウォーマ１３、下腿部ヒータ１４およびステアリングヒータ１５の作動を手動設定するための手動操作部である。
【００３５】
操作パネル２８の空調操作スイッチとしては、具体的に、オートスイッチ、吹出口モード切替スイッチ、風量設定スイッチ、シートヒータ操作スイッチ、脹脛輻射ヒータ操作スイッチ、フットウォーマ操作スイッチ、下腿部輻射ヒータ操作スイッチおよびステアリングヒータ操作スイッチ等が設けられている。
【００３６】
オートスイッチは、乗員の操作によって室内空調ユニット１０の自動制御を設定および解除を行う自動制御設定部である。吹出口モード切替スイッチは、乗員の操作によってフェイスモード、バイレベルモード、フットモードおよびフットデフロスタモードを切り替える吹出口モード切替部である。風量設定スイッチは、室内空調ユニット１０の送風機の送風量を手動設定するための風量設定部である。
【００３７】
シートヒータ操作スイッチは、シートヒータ１１の起動および停止を行うとともにシートヒータ１１の温度を手動設定するためのシートヒータ操作部である。
【００３８】
脹脛輻射ヒータ操作スイッチは、脹脛ヒータ１２の起動および停止を行うとともに脹脛ヒータ１２の出力を手動設定するための脹脛輻射ヒータ操作部である。
【００３９】
フットウォーマ操作スイッチは、フットウォーマ１３の起動および停止を行うとともにフットウォーマ１３の温度を手動設定するためのフットウォーマ操作部である。
【００４０】
下腿部輻射ヒータ操作スイッチは、下腿部ヒータ１４の起動および停止を行うとともに下腿部ヒータ１４の出力を手動設定するための下腿部輻射ヒータ操作部である。
【００４１】
ステアリングヒータ操作スイッチは、ステアリングヒータ１５の起動および停止を行うとともにステアリングヒータ１５の温度を手動設定するためのステアリングヒータ操作部である。
【００４２】
制御装置２０は、乗員によって操作パネル２８が操作されて室内空調ユニット１０が作動すると図３のフローチャートに示す制御処理を実行する。
【００４３】
まず、ステップＳ１００では、乗員の温感付与部位を把握する。温感付与部位は、乗員の身体のうち温感付与デバイスで温感を付与できる部位のことである。具体的には、温感付与デバイスの搭載状況から温感付与部位を把握する。本実施形態では、温感付与デバイスとして、シートヒータ１１、脹脛ヒータ１２、フットウォーマ１３、下腿部ヒータ１４およびステアリングヒータ１５が搭載されているので、シートヒータ１１、脹脛ヒータ１２、フットウォーマ１３、下腿部ヒータ１４およびステアリングヒータ１５によって温感を付与できる部位を温感付与部位として特定する。
【００４４】
ステップＳ１１０では、図４に示す温感不足判定を行う。温感不足判定は、乗員の身体を多数の部位に区分けし、区分けした各部位毎に温感不足があるか否かを判定する処理である。以下では、乗員の身体のうち区分けされた各部位を判定対象部位と言う。
【００４５】
判定対象部位は、乗員の身体のうち温感不足判定の対象となる部位である。判定対象部位は、温感付与デバイス１１〜１５によって温感が付与される部位のみならず、温感付与デバイス１１〜１５によって温感が付与されない部位も含んでいる。
【００４６】
図４に示す温感不足判定では、ますステップＳ１１１において、判定対象部位毎に部位別放熱量Ｑｊを算出する。
【００４７】
部位別放熱量Ｑｊの添字ｊは、判定対象部位の番号を示している。すなわち、判定対象部位が全部でｎ箇所あるとすると、部位別放熱量Ｑ１、Ｑ２、Ｑ３、・・・、Ｑｎを算出する。
【００４８】
部位別放熱量Ｑｊは、乗員の身体のうち各判定対象部位から身体の外部に放熱された熱量であり、次の数式を用いて算出される。
【００４９】
Ｑｊ＝Ｑａｊ＋Ｑｒｊ＋Ｑｃｊ
Ｑａｊは空気による放熱量である。例えば、室内空調ユニット１０から温風が吹き出されて乗員の身体が加温された場合、空気による放熱量Ｑａｊは負の値となる。空気による放熱量Ｑａｊは、室内空調ユニット１０の吹出空気温度、吹出風量および吹出口モード、ならびに体表温度センサ２１が検出した乗員の体表温度等に基づいて算出される。
【００５０】
Ｑｒｊは、輻射による放熱量である。例えば、脹脛ヒータ１２や下腿部ヒータ１４から熱源光が照射されて乗員の身体が加温された場合、輻射による放熱量Ｑｒｊは負の値となる。輻射による放熱量Ｑｒｊは、脹脛ヒータ１２および下腿部ヒータ１４の出力、日射センサ２２が検出した日射量、内装材温度センサ２３が検出した内装材の温度等に基づいて算出される。
【００５１】
Ｑｃｊは、接触熱伝導による放熱量である。例えば、シートヒータ１１が発熱して乗員の背中や臀部が加温された場合、接触熱伝導による放熱量Ｑｃｊは負の値となる。接触熱伝導による放熱量Ｑｃｊは、シート熱流束センサ２４やステアリング熱流束センサ２５が検出した熱流束値等に基づいて算出される。
【００５２】
続くステップＳ１１２では、部位別放熱量Ｑｊのうち最小の部位別放熱量を抽出し、最小の部位別放熱量を最小放熱量Ｑｍｉｎとする。そして、判定対象部位毎に放熱量差分Ｑｊ−Ｑｍｉｎを算出する。放熱量差分Ｑｊ−Ｑｍｉｎは、部位別放熱量Ｑｊと最小放熱量Ｑｍｉｎとの差分である。すなわち、放熱量差分Ｑ１−Ｑｍｉｎ、Ｑ２−Ｑｍｉｎ、Ｑ３−Ｑｍｉｎ、・・・、Ｑｎ−Ｑｍｉｎを算出する。
【００５３】
続くステップＳ１１３では、判定対象部位毎に温感不足閾値Ｘｊを呼び出す。すなわち、温感不足閾値Ｘ１、Ｘ２、Ｘ３、・・・、Ｘｎを呼び出す。温感不足閾値Ｘｊは、予め制御装置２０に記憶された固定値である。制御装置２０は、環境条件、室内空調ユニット１０の作動履歴、および乗員が乗車してからの経過時間等に基づいて温感不足閾値Ｘｊを算出してもよい。
【００５４】
続くステップＳ１１４では、判定対象部位毎に温感不足判定を行う。具体的には、放熱量差分Ｑｊ−Ｑｍｉｎが温感不足閾値Ｘｊを上回っているか否かを判定する。
【００５５】
ステップＳ１１４にて、少なくとも１箇所の判定対象部位において放熱量差分Ｑｊ−Ｑｍｉｎが温感不足閾値Ｘｊを上回っていると判定した場合、ステップＳ１１５へ進み、温感不足があると判定して温感不足判定を終了する。
【００５６】
すなわち、本実施形態では、温感付与デバイス１１〜１５はいずれも、乗員を加温して乗員に温かい感覚を与えるようになっていることから、放熱量差分Ｑｊ−Ｑｍｉｎが大きいほど乗員を加温する熱量が相対的に少なくて温かい感覚が得られ難くなるので温感不足を感じる。そのため、放熱量差分Ｑｊ−Ｑｍｉｎが温感不足閾値Ｘｊを上回っていると判定した場合、温感不足があると判定する。
【００５７】
一方、ステップＳ１１４にて、判定対象部位の全箇所において放熱量差分Ｑｊ−Ｑｍｉｎが温感不足閾値Ｘｊを上回っていないと判定した場合、ステップＳ１１６へ進み、温感不足がないと判定して温感不足判定を終了する。
【００５８】
図２に示すように、ステップＳ１１０の温感不足判定にて温感不足がないと判定した場合、ステップＳ１１０を繰り返す。一方、ステップＳ１１０の温感不足判定にて温感不足があると判定した場合、ステップＳ１２０へ進む。
【００５９】
ステップＳ１２０では、判定対象部位のうち温感不足があると判定された部位（以下、温感不足部位と言う。）を、温感不足度合いの大きさ順に順位付けする。すなわち、放熱量差分Ｑｊ−Ｑｍｉｎが最も大きい温感不足部位の順位を１位とし、放熱量差分Ｑｊ−Ｑｍｉｎが２番目に大きい温感不足部位の順位を２位とし、残余の温感不足部位についても同様に放熱量差分Ｑｊ−Ｑｍｉｎの大きさ順に順位を付ける。
【００６０】
続くステップＳ１３０では、変数ｉに１を代入する。続くステップＳ１４０では、順位がｉ番目の温感不足部位を加温できる温感付与デバイスがあるか否かを判定する。
【００６１】
ステップＳ１４０にて、ｉ番目の温感不足部位を加温できる温感付与デバイスがないと判定した場合、ステップＳ１５０へ進み、変数ｉに１を加えた後、ステップＳ１３０へ戻る。
【００６２】
一方、ステップＳ１４０にて、ｉ番目の温感不足部位を温感付与対象とする温感付与デバイスがあると判定した場合、ステップＳ１６０へ進み、ｉ番目の温感不足部位を温感付与対象とする温感付与デバイスを起動する。
【００６３】
続くステップＳ１７０では、図５に示すデバイスオフ判定を行う。デバイスオフ判定は、ステップＳ１６０で起動した温感付与デバイスを停止させるか否かを判定する処理である。
【００６４】
デバイスオフ判定では、まずステップＳ１７１に示すように、ｉ番目の温感不足部位の放熱量Ｑｉを算出する。すなわちステップＳ１６０で起動した温感付与デバイスによって温感を付与される部位の放熱量Ｑｉを算出する。
【００６５】
続くステップＳ１７２では、放熱量適正上限値Ｙｉを呼び出す。放熱量適正上限値Ｙｉは、予め制御装置２０に記憶された固定値である。制御装置２０は、環境条件、室内空調ユニット１０の作動履歴、および乗員が乗車してからの経過時間等に基づいて放熱量適正上限値Ｙｉを算出してもよい。
【００６６】
続くステップＳ１７３では、放熱量適正判定を行う。具体的には、ｉ番目の温感不足部位の放熱量Ｑｉが放熱量適正上限値Ｙｉを下回っているか否かを判定する。
【００６７】
ステップＳ１７３にて、ｉ番目の温感不足部位の放熱量Ｑｉが放熱量適正上限値Ｙｉを下回っている場合、ステップＳ１７４へ進み、放熱量Ｑｉが適正であるので温感付与デバイスを停止させると判定してデバイスオフ判定を終了する。
【００６８】
一方、ステップＳ１７３にて、ｉ番目の温感不足部位の放熱量Ｑｉが放熱量適正上限値Ｙｉを下回っていないと判定した場合、ステップＳ１７５へ進み、放熱量Ｑｉが適正でないので温感付与デバイスの作動を継続させると判定してデバイスオフ判定を終了する。
【００６９】
図２に示すように、ステップＳ１７０のデバイスオフ判定にて温感付与デバイスの作動を継続させると判定した場合、ステップＳ１７０を繰り返す。一方、ステップＳ１７０のデバイスオフ判定にて温感付与デバイスを停止させると判定した場合、Ｓ１８０へ進む。
【００７０】
ステップＳ１８０では、ステップＳ１６０で起動した温感付与デバイスを停止させた後、ステップＳ１１０へ戻る。
【００７１】
図３〜図５のフローチャートによると、制御装置２０は、暖房中の乗員の温感不足部位を検出して温感不足部位について順位付けをし、順位が上位の温感不足部位に温感を与える温感付与デバイスがある場合は、温感不足部位が暖まりを感じるレベルまでその温感付与デバイスを作動させる。暖まりを感じると判定したときには、その温感付与デバイスを停止させ、次の順位の温感不足部位を暖める。そして、これを繰り返す。
【００７２】
これらのシステム作動を決定するために、乗員の放熱量や、放熱量の適正値を設定する必要があるが、その値は、環境条件、室内空調ユニット１０の作動履歴、および乗員が乗車してからの経過時間等から、乗員の部位別の放熱量を制御マップとして予め作成して制御装置２０に記憶させておく。
【００７３】
本実施形態では、複数の温感付与デバイスが乗員に与える熱量と、複数の温感付与デバイスが作動する順序とを適確に制御することによって、乗員に対して適確な熱量を適確な順番で与えて適確な温熱刺激を与えることができる。そのため、暖房過程での乗員の温感不足を早期に取り除き、乗員に快適性を提供することができる。
【００７４】
本実施形態の温感付与システムは、暖房時の過程において、乗員の温感不足部位を適時検出し、そこに温熱刺激を加えることによって、より快適な温感を乗員に提供することができる。
【００７５】
具体的には、予め温感付与デバイスの搭載状況を確認し、乗員の身体のうち温感を付与できる部位を把握しておく。そして、暖房時に温感不足部位を検出して順位付けし、順位が高い温感不足部に温感を付与できる温感付与デバイスの出力を高める。
【００７６】
これにより乗員に対し、急峻な暖まりを提供し、この温熱刺激により乗員に快が誘発されるので、乗員に快適な温感を提供することができる。
【００７７】
温感付与デバイスが温感を付与している温感不足部位の温熱性が満足なレベルに達したら、その温感付与デバイスを停止させ、次の順位の温感不足部位を温感付与対象とする温感付与デバイスの出力を上げていく。これを繰り返すことによって、熱投入が不足している部位から優先的に温熱刺激を与えることができ、連続的かつ継続的に乗員に快を誘発し続けることができるので、より快適な温感を乗員に提供することができる。
【００７８】
本実施形態では、制御装置２０は、乗員の身体の複数部位のそれぞれについて、温感が不足している温感不足部位、および温感が充足している温感充足部位のいずれであるか判定する。そして、制御装置２０は、温感不足部位があった場合、温感充足部位よりも温感不足部位に優先的に温感を与えるように温感付与デバイス１１〜１５の作動を制御する。
【００７９】
これによると、温感不足部位に与える温感を多くし、温感充足部位に与える温感を少なくできるので、乗員の身体の各部位に温感を適切に与えることができるので、省エネルギで乗員の快適性を確保することができる。
【００８０】
本実施形態では、制御装置２０は、乗員の身体の複数部位のそれぞれについて放熱量Ｑｊを算出し、複数部位の放熱量Ｑｊから最小放熱量Ｑｍｉｎを抽出する。そして、制御装置２０は、乗員の身体の複数部位のそれぞれについて、放熱量Ｑｊと最小放熱量Ｑｍｉｎとの差分Ｑｊ−Ｑｍｉｎを算出し、差分Ｑｊ−Ｑｍｉｎに基づいて温感不足部位および温感充足部位のいずれであるか判定する。
【００８１】
具体的には、制御装置２０は、差分Ｑｊ−Ｑｍｉｎが閾値Ｘｊを上回っている場合、温感不足部位であると判定する。
【００８２】
これによると、乗員の身体の複数部位に対して相対的な放熱量に基づいて温感不足部位および温感充足部位のいずれであるか判定するので、乗員の温感が不足しているか否かの判定を、乗員の実際の感覚に近づけて適切に行うことができる。
【００８３】
本実施形態では、制御装置２０は、温感充足部位よりも温感不足部位に優先的に温感を与えるように温感付与デバイス１１〜１５の作動を制御している場合において、温感不足部位の放熱量Ｑｊが適正域に入ると、温感不足部位に与える温感が減少するように温感付与デバイス１１〜１５の作動を制御する。
【００８４】
これによると、温感不足がある程度解消された温感不足部位に対して温感を過剰に与えることを抑制できる。
【００８５】
本実施形態では、制御装置２０は、温感不足部位のうち温感が最も不足している部位に最も優先的に温感を与えるように温感付与デバイス１１〜１５の作動を制御する。これによると、乗員の快適性を一層確保することができる。
【００８６】
（他の実施形態）
上記実施形態を適宜組み合わせ可能である。上記実施形態を例えば以下のように種々変形可能である。
【００８７】
（１）上記実施形態では、温感付与デバイスは、シートヒータ１１、脹脛ヒータ１２、フットウォーマ１３、下腿部ヒータ１４およびステアリングヒータ１５であるが、温感付与デバイスはこれに限定されるものではなく、乗員に温感を与えることのできる種々のデバイスであってもよい。
【００８８】
例えば、上記実施形態では、温感付与デバイスは、寒い時に乗員を加温して乗員に温かい感覚を与えるが、温感付与デバイスは、暑い時に乗員を冷却して乗員に冷たい感覚を与えるものであってもよい。
【００８９】
温感付与デバイスが暑い時に乗員を冷却して乗員に冷たい感覚を与えるものである場合、ステップＳ１１４の温感不足判定において、放熱量差分Ｑｊ−Ｑｍｉｎが温感不足閾値Ｘｊを下回っていると判定した場合、温感不足があると判定するようにすればよい。放熱量差分Ｑｊ−Ｑｍｉｎが小さいほど乗員からの放熱量が相対的に少なくて冷たい感覚が得られ難くなるので温感不足を感じるからである。
【００９０】
乗員を冷却して乗員に冷たい感覚を与える温感付与デバイスは、例えばペルチェ素子などの冷却用デバイスである。
【００９１】
例えば、温感付与デバイスは、室内空調ユニット１０の吹出空気の風向を調整する空調用レジスタであってもよい。
【００９２】
（２）上記実施形態では、温感不足部位の順位付け結果に基づいて各温感付与デバイスを個別に起動または停止させるが、温感不足部位の順位付け結果に基づいて各温感付与デバイスの出力を個別に調整するようにしてもよい。
【００９３】
例えば、順位が上位の温感付与デバイスの出力を大きくし、順位が下位の温感付与デバイスの出力を小さくするようにしてもよい。
【符号の説明】
【００９４】
１０  室内空調ユニット
１１  シートヒータ（温感付与デバイス）
１２  脹脛ヒータ（温感付与デバイス）
１３  フットウォーマ（温感付与デバイス）
１４  下腿部ヒータ（温感付与デバイス）
１５  ステアリングヒータ（温感付与デバイス）
２０  制御部
【図１】
2018062297.tif 000003
【図２】
2018062297.tif 000004
【図３】
2018062297.tif 000005
【図４】
2018062297.tif 000006
【図５】
2018062297.tif 000007